(57)【要約】【課題】結像用のレンズの特性に起因して明るさの不均一さが発生することを簡易な手段により適切に解消する。【解決手段】受光部２０を有し、かつ光電変換機能を備えたイメージセンサチップ２と、受光部２０上に被写体の像を結像させるための少なくとも１つのレンズ４Ａ，４Ｂとを有するイメージセンサモジュールＡ１であって、レンズ４Ａ，４Ｂの少なくとも１つのレンズ面４０ｂの中央部には、遮光手段６が設けられている。【選択図】  図１
2005223716.tif 000002
【特許請求の範囲】
【請求項１】
受光部を有し、かつ光電変換機能を備えたイメージセンサチップと、上記受光部上に被写体の像を結像させるための少なくとも１つのレンズと、を有するイメージセンサモジュールであって、
上記レンズの少なくとも１つのレンズ面の中央部には、遮光手段が設けられていることを特徴とする、イメージセンサモジュール。
【請求項２】
上記遮光手段は、塗装膜や蒸着膜などの膜、またはフィルムである、請求項１に記載のイメージセンサモジュール。
【請求項３】
上記遮光手段は、上記レンズ面の中央部が部分的に窪むように形成された凹状部、または上記中央部の表面が凹凸状とされた粗面部である、請求項１に記載のイメージセンサモジュール。
【請求項４】
上記レンズとしては、光軸方向に並んだ２つのレンズがあり、
これら２つのレンズは、互いに間隔を隔てて対面する凸状のレンズ面および凹状のレンズ面を有し、
上記遮光手段は、上記凸状のレンズ面に設けられている、請求項１ないし３のいずれかに記載のイメージセンサモジュール。
【請求項５】
上記レンズとしては、
被写体からの光の入射および出射を行なわせるための第１および第２のレンズ面を有し、これら第１および第２のレンズ面はともに凸状とされた第１のレンズと、
上記第１のレンズを透過してきた光の入射および上記イメージセンサチップに向けての出射を行なわせるための第３および第４のレンズ面を有し、上記第３のレンズ面は凹状とされ、かつ上記第４のレンズ面は凸状とされた第２のレンズとがあり、
上記第１ないし第４のレンズ面のうち、上記第２のレンズ面のみに、上記遮光手段が設けられている、請求項１ないし４のいずれかに記載のイメージセンサモジュール。
【請求項６】
上記レンズとしては、
被写体からの光の入射および出射を行なわせるための第１および第２のレンズ面を有し、これら第１および第２のレンズ面はともに凸状とされた第１のレンズと、
上記第１のレンズを透過してきた光の入射および出射を行なわせるための第３および第４のレンズ面を有し、上記第３のレンズ面は凹状とされ、かつ上記第４のレンズ面は凸状とされた第２のレンズと、
上記第２のレンズを透過してきた光の入射および上記イメージセンサチップに向けての出射を行なわせるための第５および第６のレンズ面を有し、上記第５のレンズ面は凹状とされ、かつ上記第６のレンズ面は凸状とされた第３のレンズとがあり、
上記第１ないし第６のレンズ面のうち、上記第４のレンズ面のみに、上記遮光手段が設けられている、請求項１ないし４のいずれかに記載のイメージセンサモジュール。
【請求項７】
イメージセンサチップの受光部に被写体の像を結像させるのに用いられ、かつ少なくとも１つのレンズを備えている、イメージセンサモジュール用レンズユニットであって、
上記レンズの少なくとも１つのレンズ面の中央部には、遮光手段が設けられていることを特徴とする、イメージセンサモジュール用レンズユニット。
【発明の詳細な説明】
【技術分野】
【０００１】
本発明は、カメラ機能付き携帯電話機の構成部品などとして用いられるイメージセンサモジュール、およびイメージセンサモジュール用レンズユニットに関する。
【背景技術】
【０００２】
携帯電話機にカメラ機能を備えさせるための部品として、イメージセンサモジュールが広く用いられている（たとえば、特許文献１を参照）。図８は、そのようなイメージセンサモジュールの一例を示している。図示されたイメージセンサモジュール８は、基板８０上にイメージセンサチップ８１が搭載され、かつこのイメージセンサチップ８１の上方には、フレーム８４により支持された結像用のレンズ８２が設けられた構成を有している。レンズ８２は、被写体から進行したきた光をイメージセンサチップ８１の受光部（上面の一部分）上に集束させ、被写体の像を結像させる。イメージセンサチップ８１は、光電変換機能を有しており、受光部において受けた光量に対応した画像信号を出力し、これが端子８３から所望の機器または回路に送信されるようになっている。
【０００３】
しかしながら、このイメージセンサモジュール８においては、次に述べるような不具合を生じていた。
【０００４】
すなわち、結像用のレンズ８２を利用して被写体の像をイメージセンサチップ８１の受光部上に結像させた場合、この像は、中央部が周縁部よりも明るくなる傾向がある。その理由は、レンズ８２は光軸と平行な入射光を光軸上の焦点に集束させる特性を有しているため、光軸から離れた部分に像を結ぶ光よりも光軸に近い部分に像を結ぶ光の方が量が多くなるからである。
【０００５】
従来においては、上記したようなことに対処する手段として、イメージセンサチップ８１から出力される画像信号の補正処理を行なっていた。この補正処理は、明るくなる傾向の強い中央部寄りの画像信号ほどその明るさが低下するように、そのレベル調整を行なうものである。
【０００６】
ところが、上記した画像信号の補正処理を行なうには、それ専用の回路が必要となり、装置のコストが高くなる。また、上記補正処理は、レンズ８２の特性に対応したものにする必要があり、その処理条件をレンズ８２の特性に応じて所定の回路に入力しなければならないといった手間が必要である。さらに、その入力値に誤差があると、上記補正処理が適切に行なわれず、画像の質が低下する。
【０００７】
【特許文献１】特開２００２−３２０１５０号公報
【発明の開示】
【発明が解決しようとする課題】
【０００８】
本発明は、このような事情のもとに考え出されたものであって、結像用のレンズの特性に起因して明るさの不均一さが発生することを簡易な手段により適切に解消することを課題としている。
【課題を解決するための手段】
【０００９】
本発明の第１の側面により提供されるイメージセンサモジュールは、受光部を有し、かつ光電変換機能を備えたイメージセンサチップと、上記受光部上に被写体の像を結像させるための少なくとも１つのレンズと、を有するイメージセンサモジュールであって、上記レンズの少なくとも１つのレンズ面の中央部には、遮光手段が設けられていることを特徴としている。
【００１０】
このような構成によれば、レンズの中央部を進行して遮光手段に到達した光は、この遮光手段によって遮られるために、画像の中央部に被写体の像を結ばせる光の量が減少し、このことによりレンズの特性に起因する画像の中央部と周縁部との明るさの不均一さを無くし、または少なくすることが可能となる。したがって、本発明によれば、撮影画像の中央部と周縁部との明るさの差を解消するための画像信号の補正処理を行なう必要を無くすことが可能となり、補正処理用の回路の削減によるコスト低減、および補正処理を行なうためのデータ入力の煩雑さの解消を図り、さらには補正処理の誤差に起因して画質劣化が発生する虞れを無くすことができる。
【００１１】
本発明によれば、撮影画像の中央部に限らず、周縁部に到達して被写体の像を結ぶ光も遮光手段によって遮られるために、遮光手段が設けられていない従来技術の場合と比較すると、画像全体が暗くなる。ところが、本発明によれば、画像信号全体の出力レベルを上げれば、明るい撮影画像が得られるため、とくに不具合を生じることはない。既述したとおり、本発明によれば、明るさの不均一さが解消された撮影画像が得られるために、この撮影画像の信号の出力レベルを上げる場合には、画像の中央部と周縁部とで差を設ける必要はなく、画像の各部分の信号の出力レベルを一律に高めればよいために、その処理は容易である。
【００１２】
本発明の好ましい実施の形態においては、上記遮光手段は、塗装膜や蒸着膜などの膜、またはフィルムである。このような構成によれば、遮光手段を容易に設けることができる。
【００１３】
本発明の好ましい実施の形態においては、上記遮光手段は、上記レンズ面の中央部が部分的に窪むように形成された凹状部、または上記中央部の表面が凹凸状とされた粗面部である。このような構成によれば、レンズをたとえば樹脂成形する場合に、このレンズの樹脂成形の際に遮光手段を同時に形成するといったことが可能であり、製造の容易化を図ることができる。
【００１４】
本発明の好ましい実施の形態においては、上記レンズとしては、光軸方向に並んだ２つのレンズがあり、これら２つのレンズは、互いに間隔を隔てて対面する凸状のレンズ面および凹状のレンズ面を有し、上記遮光手段は、上記凸状のレンズ面に設けられている。このような構成によれば、凹状のレンズ面が具備されていることにより、色収差を無くし、または少なくし、撮影画像の質を高めることが可能となる。また、遮光手段は、この凹状のレンズ面ではなく、凸状のレンズ面に設けられているために、たとえばレンズ面に塗装を施すことによって遮光手段を設けるといった場合に、その凸状のレンズ面に対する塗装が容易となる。さらに、上記遮光手段は、光軸方向に並んだ２つのレンズの内側に位置することとなるために、上記遮光手段が外部の部材などと直接接触するようなことはなく、その保護も適切に図ることができる。より具体的には、たとえば上記遮光手段を塗装膜により構成した場合に、この塗装膜が他の部材との接触によって剥離するといった不具合を生じないようにすることが可能である。
【００１５】
本発明の好ましい実施の形態においては、上記レンズとしては、被写体からの光の入射および出射を行なわせるための第１および第２のレンズ面を有し、これら第１および第２のレンズ面はともに凸状とされた第１のレンズと、上記第１のレンズを透過してきた光の入射および上記イメージセンサチップに向けての出射を行なわせるための第３および第４のレンズ面を有し、上記第３のレンズ面は凹状とされ、かつ上記第４のレンズ面は凸状とされた第２のレンズとがあり、上記第１ないし第４のレンズ面のうち、上記第２のレンズ面のみに、上記遮光手段が設けられている。このような構成によれば、第１および第２のレンズが組み合わされ、またいわゆる凹状のレンズ面を含む色消しレンズとなっているために、鮮明な画像を結像させるのに好適である。また、遮光手段は、第２のレンズ面のみに設けられているために、画像の明るさの均一化を図るための設定が容易となる。すなわち、第１のレンズ面に遮光手段を設けた場合には、結像画像全体の明るさが大きく低下する虞れがあり、また第４のレンズ面に遮光手段を設けた場合には、この第４のレンズ面が結像点に近いために、画像の中央部の明るさが大きく低下し易くなる。第３のレンズ面は、凹状のレンズ面であるため、塗装などによっては遮光手段を設け難い。上記構成によれば、このような不具合を解消することが可能である。
【００１６】
本発明の好ましい実施の形態においては、上記レンズとしては、被写体からの光の入射および出射を行なわせるための第１および第２のレンズ面を有し、これら第１および第２のレンズ面はともに凸状とされた第１のレンズと、上記第１のレンズを透過してきた光の入射および出射を行なわせるための第３および第４のレンズ面を有し、上記第３のレンズ面は凹状とされ、かつ上記第４のレンズ面は凸状とされた第２のレンズと、上記第２のレンズを透過してきた光の入射および上記イメージセンサチップに向けての出射を行なわせるための第５および第６のレンズ面を有し、上記第５のレンズ面は凹状とされ、かつ上記第６のレンズ面は凸状とされた第３のレンズとがあり、上記第１ないし第６のレンズ面のうち、上記第４のレンズ面のみに、上記遮光手段が設けられている。このような構成によれば、第１ないし第３のレンズは、互いに組み合わされ、また色消しレンズとなっており、レンズを２枚のみ用いる場合よりも一層鮮明な画像を結像させることが可能となる。また、上記第１ないし第６のレンズ面のうち、第４のレンズ面のみに遮光手段を設けた構成によれば、上述した第１および第２のレンズを用いた構成において第２のレンズ面のみに遮光手段を設けた場合と同様な利点が得られることとなる。
【００１７】
本発明の第２の側面により提供されるイメージセンサモジュール用レンズユニットは、イメージセンサチップの受光部に被写体の像を結像させるのに用いられ、かつ少なくとも１つのレンズを備えている、イメージセンサモジュール用レンズユニットであって、上記レンズの少なくとも１つのレンズ面の中央部には、遮光手段が設けられていることを特徴としている。
【００１８】
このような構成によれば、本発明の第１の側面により提供されるイメージセンサモジュールの構成部品として好適に使用することが可能であり、上記イメージセンサモジュールについて述べたのと同様な効果が期待できる。
【００１９】
本発明のその他の特徴および利点については、以下に行なう発明の実施の形態の説明から、より明らかとなろう。
【発明を実施するための最良の形態】
【００２０】
以下、本発明の最良の実施の形態について、図面を参照しつつ具体的に説明する。
【００２１】
図１は、本発明に係るイメージセンサモジュールの一実施形態を示している。本実施形態のイメージセンサモジュールＡ１は、たとえば携帯電話機の筐体内に組み込まれて被写体の撮像に用いられるものであり、基板１、イメージセンサチップ２、ハウジング３、およびレンズユニットＵ１を備えている。レンズユニットＵ１は、第１および第２レンズ４Ａ，４Ｂがレンズホルダ５内に収容された構造を有している。
【００２２】
基板１は、矩形の平板状であり、その上面にはイメージセンサチップ２が実装されている。イメージセンサチップ２は、たとえばＣＣＤ型やＣＭＯＳ型の固体撮像素子であり、図２に示すように、複数のドット状の受光要素２０ａがマトリクス状に並んだ受光部２０を備えている。この受光部２０が光を受けると、各受光要素２０ａごとの受光量に対応した出力レベルの画像信号がこのイメージセンサチップ２から一定の順序で出力される。基板１の裏面には複数の電極１０が形成され、またこれら電極１０は基板１に設けられたスルーホールなどを含む配線パターン（図示略）を介してイメージセンサチップ２と導通しており、イメージセンサチップ２からの画像信号の出力やイメージセンサチップ２の駆動に必要な電力供給や制御信号の入出力がそれら電極１０を利用して行なうことが可能となっている。
【００２３】
ハウジング３は、基板１上に固定して設けられており、遮光性を有する黒色あるいはそれに近い暗色系の合成樹脂製である。このハウジング３は、外部の光が第１および第２のレンズ４Ａ，４Ｂ以外の部分からイメージセンサチップ２に向けて進行することを防止するようにイメージセンサチップ２の周囲を囲む筒状である。
【００２４】
第１および第２のレンズ４Ａ，４Ｂは、被写体から進行してきた光を集束させることによりイメージセンサチップ２の受光部２０上に被写体の像を結像させるためのものであり、いずれもＰＭＭＡ（ポリメタクリル酸メチル（メタクリル樹脂））またはＰＣ（ポリカーボネート）などの透明な合成樹脂製である。第１のレンズ４Ａは、被写体からの光の入射面となる第１のレンズ面４０ａおよびその光の出射面となる第２のレンズ面４０ｂがいずれも凸状曲面とされた両凸レンズである。
【００２５】
第２のレンズ面４０ｂの中央部には、可視光に対する遮光性を有する遮光膜６が設けられている。この遮光膜６は、第２のレンズ面４０ｂにたとえばスクリーン印刷を施すことにより形成された黒色の塗装膜である。この遮光膜６は、光軸Ｌを中心とする円形状である。第１のレンズ４Ａの直径がたとえば６〜８mm程度であり、また第２のレンズ面４０ｂの直径が３〜４mm程度であるのに対し、遮光膜６の直径はたとえば０．３mm程度とされている。
【００２６】
第２のレンズ４Ｂは、第１のレンズ４Ａを通過してきた光の入射面となる第３のレンズ面４０ｃが凹状曲面とされ、かつ上記光の出射面となる第４のレンズ面４０ｄが凸状曲面とされた凹凸レンズである。第１ないし第４のレンズ面４０ａ〜４０ｄは、第１および第２のレンズ４Ａ，４Ｂの外周縁部を避けるようにして形成されており、これら第１および第２のレンズ４Ａ，４Ｂの外周縁部の上面４１ａ，４２ａおよび下面４１ｂ，４２ｂは、いずれも平面状である。第１および第２のレンズ４Ａ，４Ｂは、それらの外周縁部どうしが直線接触するようにして光軸Ｌ方向に積層されてレンズホルダ５に嵌入している。
【００２７】
第１および第２のレンズ４Ａ，４Ｂは、第２のレンズ４Ｂの外周縁部がハウジング３に設けられた段部３０上に載せられていることにより、イメージセンサチップ２の上方に配されている。段部３０には、光学フィルタ７が支持されている。この光学フィルタ７は、たとえば赤外線遮断フィルタである。レンズホルダ５は、ハウジング３と同様に遮光性を有する黒色またはそれに近い暗色系の合成樹脂製である。このレンズホルダ５は、上壁部５０と、この上壁部５０に繋がった筒状部５１とを有しており、筒状部５１の外周面に形成されたネジ部５１ａがハウジング３の上部内周面に形成されたネジ部３１に螺合していることにより、レンズユニットＵ１のハウジング３に対する取り付けが図られている。上壁部５０は、第１のレンズ面４０ａの中央寄り部分を露出させる孔部５０ａを有しており、絞りとしての役割を果たす。
【００２８】
次に、イメージセンサモジュールＡ１の作用について説明する。
【００２９】
レンズユニットＵ１に光が入射する場合の作用の概要を図３に示す。同図において、複数ずつの光線RL１，RL２を比較すると、まず、光線RL１は、光軸Ｌと平行に進行して第１のレンズ面４０ａに入射するものであり、第２ないし第４のレンズ面４０ｂ〜４０ｄ、および光学フィルタ７を通過した後には、イメージセンサチップ２上のうち、光軸Ｌと交差する結像点Ｐ１において集束する。ただし、複数の光線RL１のうち、光軸Ｌの近傍を進行していた光は、遮光膜６によって遮られるため、結像点Ｐ１には到達しない。したがって、遮光膜６が設けられていない場合と比較して結像点Ｐ１の光量は減少する。
【００３０】
次に、複数の光線RL２は、光軸Ｌに対して傾いた角度で進行して第１のレンズ面４０ａに入射するものであり、最終的には、イメージセンサチップ２上の光軸Ｌから離れた結像点Ｐ２に集束する。これら複数の光線RL２についても、やはりその一部は遮光膜６によって遮られ、結像点Ｐ２には到達しないこととなるが、遮光膜６によって遮られる光量は、光線RL１よりも少ないものとなる。
【００３１】
このようなことから理解されるように、遮光膜６は光軸Ｌ上およびその近傍に位置して光を遮るために、イメージセンサチップ２の受光部２０のうち、光軸Ｌに近い部分になるほど遮光膜６による遮光量が多くなる。このような作用により、第１および第２のレンズ４Ａ，４Ｂのレンズ特性に起因して結像点の中央部が周縁部よりも明るくなることが解消され、画質の良好な撮像画像が得られることとなる。撮影画像の中央部と周縁部との明るさの差を解消することを目的として画像信号の複雑な補正処理を行なう必要はない。
【００３２】
このイメージセンサモジュールＡ１においては、遮光膜６によって光が遮られる分だけ受光部２０上に結ぶ像の全体の明るさが低下する。ところが、既述したとおり、レンズ特性に起因する明るさの不均一さが解消されているために、そのような明るさの低下は画像信号をたとえば単に増幅するなどして簡単に補正することが可能であり、このことにより明るい撮影画像を得ることができる。なお、図３には２種類の光線RL１，RL２のみ示しているが、被写体から進行してくる光線としては第１のレンズ面４０ａの各部に対して種々の角度で入射する光線があるため、受光部２０上に遮光膜６の影が発生するといった不具合は無論ない。
【００３３】
レンズユニットＵ１は、３つの凸状のレンズ面と、１つの凹状のレンズ面とを備えており、とくに凹状のレンズ面は色収差を少なくする役割を果たすために、鮮明なカラー画像を得るのに好適である。また、遮光膜６は、第２のレンズ面４０ｂに設けられており、第１および第２のレンズ４Ａ，４Ｂが積層されたレンズユニットＵ１の組み立て状態においては、この遮光膜６がレンズユニットＵ１の外部に露出することはない。したがって、たとえばイメージセンサモジュールＡ１の組み立て製造時においてこのレンズユニットＵ１を取り扱う際に、遮光膜６が他の部材などと接触して剥離するといった虞れは無い。第２のレンズ面４０ｂは、凸状であるため、この第２のレンズ面４０ｂの中央部に印刷を施して遮光膜６を設ける作業も容易である。
【００３４】
本発明において、遮光膜６が設けられるレンズ面は、第２のレンズ面４０ｂに限定されない。遮光膜６を第１のレンズ面４０ａ，第３のレンズ面４０ｃ、または第４のレンズ面４０ｄに設けた場合にも、結像画像の中央部の光量の減少量を周縁部のそれよりも多くすることが可能であり、従来技術と比較して明るさの均一化を図ることが可能である。ただし、遮光膜６をたとえば第４のレンズ面４０ｄに設けた場合には、遮光膜６がイメージセンサチップ２にかなり接近するために、遮光膜６による遮光効果が画像の中心部に集中し易くなる虞れがある。また、遮光膜６を第１のレンズ面４０ａに設けた場合には、遮光膜６からイメージセンサチップ２までの距離が長くなるために、遮光効果が画像全体に及び易くなる虞れがある。これに対し、第２のレンズ面４０ｂに遮光膜６を設ければ、それらの中間的な遮光効果が得られ、画像の明るさを均一にするための各部の設計（たとえば遮光膜６の直径などの決定）が容易となる。また、第３のレンズ面４０ｃは、凹状であるため、遮光膜６を印刷によって設けることは難しいものとなるが、第２のレンズ面４０ｂに遮光膜６を設ける構成によれば、既述したとおり、その印刷形成は容易である。
【００３５】
図４および図５は、本発明の他の実施形態を示している。図４以降の図において、上記実施形態と同一または類似の要素には、上記実施形態と同一の符号を付している。
【００３６】
図４に示したイメージセンサモジュールＡ２は、レンズユニットＵ２が第１および第２のレンズ４Ａ，４Ｂに加え、第３のレンズ４Ｃを備えたものとして構成されている。第１および第２のレンズ４Ａ，４Ｂは、第１ないし第４のレンズ面４０ａ〜４０ｄの曲率が図１に示した実施形態のレンズユニットＵ１とは相違するものの、それらの他の基本的な構成は同様である。第３のレンズ４Ｃは、第２のレンズ４Ｂを通過してきた光の入射面となる第５のレンズ面４０ｅが凹状であり、かつその光の出射面となる第６のレンズ面４０ｆが凸状とされた凹凸レンズである。遮光膜６は、第４のレンズ面４０ｄの中央部に設けられている。
【００３７】
このイメージセンサモジュールＡ２においては、第４のレンズ面４０ｄの中央部に到達した光を遮光膜６によって遮ることが可能であり、上記したイメージセンサモジュールＡ１と同様に、イメージセンサチップ２の受光部２０上に結像する被写体の像の中央部と周縁部との明るさがレンズ特性に起因して大きく相違したものとならないようにすることができる。結像に用いるレンズの枚数は、イメージセンサモジュールＡ１よりも多いために、被写体の像をより鮮明にして撮影画像の質を高めることが可能である。また、遮光膜６は、受光部２０に最も遠い第１のレンズ面４０ａと最も近い第６のレンズ面４０ｆとの中間に位置する第４のレンズ面４０ｄに設けられているために、結像画像の明るさの均一化を図るための設定が容易となる。また、第４のレンズ面４０ｄは凸状であるため、たとえば印刷により遮光膜６を設けることも容易化される。ただし、本発明においては、第１ないし第６のレンズ面４０ａ〜４０ｆのうち、第４のレンズ面４０ｄとは別のレンズ面に遮光膜６を設けた構成としてもかまわない。また、遮光膜６を複数のレンズ面に設けてもかまわない。
【００３８】
図５に示したイメージセンサモジュールＡ３は、レンズユニットＵ３が結像用のレンズとして１枚のレンズ４Ａのみを備えた構成とされている。このレンズ４Ａは、両凸レンズであり、第２のレンズ面４０ｂの中央部に遮光膜６が設けられている。
【００３９】
このような構成によれば、レンズの枚数が１枚であるため、上述したイメージセンサモジュールＡ１，Ａ２と比較すると収差は大きくなり易いものの、レンズ枚数が少ない分だけ全体のコストを低減することができる。レンズ特性に起因した画像の明るさの不均一さが遮光膜６の作用により解消される点については、イメージセンサモジュールＡ１，Ａ２と同様である。
【００４０】
上記した実施形態から理解されるように、本発明においては、レンズユニットを構成するレンズの具体的な枚数は限定されない。レンズの枚数は、目的とする撮影画像の質の高さに応じて適宜決定すればよい。両凸レンズあるいは凹凸レンズといったレンズの種類についても同様である。
【００４１】
本発明は、上述した実施形態の内容に限定されない。本発明に係るイメージセンサモジュールおよびレンズユニットの各部の具体的な構成は、種々に設計変更可能である。
【００４２】
本発明でいう遮光手段を膜として構成する場合、この膜は、印刷によらず、それ以外の塗装、あるいは蒸着、スパッタリング、ＣＶＤ法などを利用して形成してもかまわない。ただし、製造コストを考慮すれば、印刷により形成することが好ましい。また、遮光手段は、遮光性を有するフィルム（シートも含む）をレンズ面に貼着することにより設けることもできる。
【００４３】
さらに、本発明においては、遮光手段を図６または図７に示すような構成とすることもできる。
【００４４】
図６（ａ）に示す構成においては、レンズ４のレンズ面４０ｇの中央部に、凹状部６Ａが設けられており、この凹状部６ａが遮光手段の具体例に相当している。このような構成によれば、凹状部６Ａを規定する面６０に入射する光のうち、全反射臨界角よりも大きな入射角の光は、面６０によって全反射され、面６０を通過しないこととなる。また、それ以外の残りの光は、面６０を通過する際に屈折する。ただし、この屈折の仕方は、レンズ面４０ｇの他の部分における光の屈折の仕方とは異なるために、面６０を通過した光は被写体の結像には有効に働かないこととなる。このようなことから、凹状部６Ａを設けた場合においても、遮光膜６を設けた場合と同様に、結像画像の中央部の明るさを低下させて明るさの均一化を図る効果が得られる。凹状部６Ａは、レンズ４を樹脂成形する際に同時に形成することが可能である。したがって、製造の容易化および製造コストの低減化を図ることもできる。なお、凹状部６Ａは、図６（ａ）に示したように面６０が丸みを帯びた半球状のものに代えて、同図（ｂ）に示すような円錐状または角錐状としたり、あるいは同図（ｃ）に示すように内側面６０ａが光軸Ｌに対して傾斜していない形状とすることができる。むろん、凹状部６Ａを上記以外の種々の形状に形成することができる。
【００４５】
図７（ａ）に示す構成においては、レンズ４のレンズ面４０ｇに、このレンズ面４０ｇの中央部の表面を凹凸状とした粗面部６Ｂが設けられており、この粗面部６Ｂが遮光手段の具体例に相当している。このような構成によれば、粗面部６Ｂに入射する光としては、その粗面部６Ｂに対する入射角に応じて、全反射されるものと、屈折しながら粗面部６Ｂを透過するものとが発生することとなる。したがって、この場合においても、図６に示した構成と同様に、結像画像の中央部の明るさを低下させて明るさの均一化を図る効果が得られる。
【００４６】
粗面部６Ｂは、レンズ４を樹脂成形する際に、たとえば図７（ｂ），（ｃ）に示すような円柱状または角柱状の複数の小突起６１ａ、あるいはそれ以外の形状の小突起をレンズ面４０ｇに一体的に形成することにより設けることが可能である。また、同図（ｄ）に示すように、複数のリブ６１ｂを形成したり、あるいは同図（ｅ）に示すように複数の溝６１ｃを縦横またはそのいずれか一方向のみに形成することによっても、粗面部６Ｂを設けることができる。このような構成によれば、その製造が容易となる。また、粗面部６Ｂを形成するための他の手段として、たとえばレンズ面４０ｇに機械加工を施すことによりその粗面化を図ったり、あるいはエッチング処理液を利用するなどしてレンズ面４０ｇの粗面化を図るようにしてもかまわない。
【００４７】
上記した内容から理解されるように、本発明における遮光手段としては種々の構成のものが考えられる。要は、遮光性を有すればよい。ここで、本発明でいう遮光性とは、受けた光の全てを遮断する必要はなく、受けた光の一部が遮断され、かつその残りが透過する構成であってもよい。
【００４８】
レンズの枚数や種類などが限定されないことは前述したとおりであり、本発明はイメージセンサチップの具体的な種類も問わない。また、本発明に係るイメージセンサモジュールの具体的な用途も限定されるものではない。
【図面の簡単な説明】
【００４９】
【図１】本発明に係るイメージセンサモジュールの一例を示す断面図である。
【図２】図１に示すイメージセンサチップの構成部品である基板およびイメージセンサチップの斜視図である。
【図３】図１に示すイメージセンサチップの作用の概略を示す説明図である。
【図４】本発明に係るイメージセンサモジュールの他の例を示す断面図である。
【図５】本発明に係るイメージセンサモジュールの他の例を示す断面図である。
【図６】（ａ）〜（ｃ）は、本発明の遮光手段の他の例を示す断面図である。
【図７】本発明の遮光手段の他の例を示し、（ａ）は、断面図であり、（ｂ）〜（ｅ）は、要部底面図である。
【図８】従来のイメージセンサモジュールの一例を示す断面図である。
【符号の説明】
【００５０】
Ａ１〜Ａ３        イメージセンサモジュール
Ｕ１〜Ｕ３        レンズユニット
１                基板
２                イメージセンサチップ
４Ａ〜４Ｃ        第１ないし第３のレンズ
６                遮光膜（遮光手段）
６Ａ              凹状部（遮光手段）
６Ｂ              粗面部（遮光手段）
２０              受光部
４０ａ〜４０ｆ    第１ないし第６のレンズ面
【図１】
2005223716.tif 000003
【図２】
2005223716.tif 000004
【図３】
2005223716.tif 000005
【図４】
2005223716.tif 000006
【図５】
2005223716.tif 000007
【図６】
2005223716.tif 000008
【図７】
2005223716.tif 000009
【図８】
2005223716.tif 000010